(57)【要約】【課題】おもり部材を台座部の内部に配置することを可能としたスタンド台を提供する。【解決手段】支持体１１と、支持体１１を支持する台座部２１とを備える。支持体１１は、台座部２１内に配置される環状部１３と、環状部１３に対して外方に導出される導出部１４とを備える。台座部２１は、おもり部材２２と、下端部に開口部２５を備え、内部におもり部材２２および環状部１３が配置されるカバー部材２３と、開口部２５を閉塞するベース部材２４とを備える。カバー部材２３は、おもり部材２２が配置される配置部２７ａと、配置部２７ａの外周部に配置される外周壁２３ｂと内周壁２３ｃの間に構成される環状溝２８であって、環状部１３が配置される環状溝２８と、外周壁２３ｂに備えられ、環状溝２８に環状部１３が配置された状態において導出部１４が配置される切欠部２６とを備える。【選択図】図２
2017086290.tif 000002
【特許請求の範囲】
【請求項１】
支持対象物を支持する支持体と、
前記支持体を支持する台座部とを備え、
前記支持体は、前記台座部内に配置される環状部と、
前記環状部に対して外方に導出される導出部とを備え、
前記台座部は、おもり部材と、
下端部に開口部を備え内部に前記おもり部材および前記環状部が配置されるカバー部材と、
前記開口部を閉塞するベース部材とを備え、
前記カバー部材およびベース部材の少なくとも何れか一方の部材は、
前記おもり部材が配置される配置部と、
前記配置部を内側に構成する内周壁と前記内周壁の外側に位置する外周壁との間に構成される環状溝であって、前記環状部が配置される前記環状溝と、
前記外周壁に備えられ、前記環状溝に前記環状部が配置された状態において前記導出部が配置される切欠部と
を備えるスタンド台。
【請求項２】
前記一方の部材は、前記カバー部材であり、
前記カバー部材に対する他方の部材は、前記ベース部材であり、
前記導出部は、前記カバー部材に形成した前記切欠部に前記ベース部材によって押し上げられている
請求項１に記載のスタンド台。
【請求項３】
前記環状部と前記導出部とは、線状部材であり、
前記環状部の下端に前記導出部が固定されている
請求項２に記載のスタンド台。
【請求項４】
前記ベース部材は、前記開口部を閉塞する面に、前記開口部を閉塞した状態において、前記内周壁と重なる環状壁を備え、
前記内周壁と前記環状壁の互いに相対するそれぞれの面には、ねじ部が構成され、
前記ねじ部によって前記ベース部材と前記カバーとが結合される
請求項２又は３に記載のスタンド台。
【請求項５】
前記カバー部材、および、前記ベース部材は、合成樹脂製である
請求項１〜４のいずれか１項に記載のスタンド台。
【発明の詳細な説明】
【技術分野】
【０００１】
本発明は、支持対象物を支持するスタンド台に関する。
【背景技術】
【０００２】
キッチン用品のスタンド台には、例えば特許文献１に記載された台がある。特許文献１のスタンド台は、支持対象物であるキッチンペーパーロールのスタンド台であり、キッチンペーパーロールを支持する受け皿の中心に円柱を配置し、円柱に、キッチンペーパーロールの円筒芯を挿通し、キッチンペーパーロールを受け皿に回転可能に支持している。また、特許文献１のスタンド台では、受け皿を軽量なプラスチックなどで形成した場合に、受け皿の中央部の裏面に鉄製のおもり部材を配置し、キッチンペーパーを切断するときなどに倒れないようにしている。
【先行技術文献】
【特許文献】
【０００３】
【特許文献１】実用新案登録第３１７３５３１号公報
【発明の概要】
【発明が解決しようとする課題】
【０００４】
ところで、キッチン用品のスタンド台には、キッチンペーパーロールのスタンド台の他にも、グラスなどのコップを支持するスタンド台、まな板を支持するスタンド台、杓子などのキッチンツールを支持するツールスタンド台などがある。何れのスタンド台にあっても、使用している最中に倒れてしまわないようにおもり部材を配置する必要がある。そこで、例えば、特許文献１では、受け皿の中央部の裏面におもり部材を配置しているが、このおもり部材は、外部に露出することになる。一般には、おもり部材は、接着剤、両面テープなどの接着手段で接着することになるが、接着手段の経年劣化などによっておもり部材が受け皿から外れてしまうおそれがある。そして、おもり部材が受け皿などの台座部から外れてしまう問題は、キッチン用品のスタンド装置に限ったことではなく、様々な支持対象物のスタンド装置にも当てはまる。
【０００５】
本発明は、以上のような課題に鑑みてなされたものであって、その目的は、おもり部材を台座部の内部に配置することを可能としたスタンド台を提供することにある。
【課題を解決するための手段】
【０００６】
上記課題を解決するスタンド台は、支持対象物を支持する支持体と、前記支持体を支持する台座部とを備える。前記支持体は、前記台座部内に配置される環状部と、前記環状部に対して外方に導出される導出部とを備える。前記台座部は、おもり部材と、下端部に開口部を備え内部に前記おもり部材および前記環状部が配置されるカバー部材と、前記開口部を閉塞するベース部材とを備える。前記カバー部材またはベース部材の何れか一方の部材は、前記おもり部材が配置される配置部と、前記配置部を内側に構成する内周壁と前記内周壁の外側に位置する外周壁との間に構成される環状溝であって、前記環状部が配置される前記環状溝と、前記外周壁に備えられ、前記環状溝に前記環状部が配置された状態において前記導出部が配置される切欠部とを備える。
【０００７】
このような構成によれば、おもり部材を配置部に配置することができることから、おもり部材が使用中に外れてしまうことを防止することができる。
【０００８】
上記スタンド台において、前記一方の部材は、前記カバー部材であり、前記カバー部材に対する他方の部材は、前記ベース部材であり、前記導出部は、前記カバー部材の前記切欠部の縁部に前記ベース部材によって押し上げる構成としてもよい。
このような構成によれば、切欠部と導出部の隙間が小さく又は無くなり、支持体の台座部に対するがたつきが抑えられる。
【０００９】
上記スタンド台において、前記環状部と前記導出部とは、線状部材であり、前記環状部の下端に前記導出部が固定されている構成としてもよい。
このような構成によれば、導出部が環状部の下端から突出するので、ベース部材によって環状体を切欠部の縁部に押し上げやすくなる。また、重心が低くなり、より安定させることができる。
【００１０】
上記スタンド台において、前記ベース部材は、前記開口部を閉塞する面に、前記開口部を閉塞した状態において、前記内周壁と重なる環状壁を備え、前記内周壁と前記環状壁の互いに相対するそれぞれの面には、ねじ部が構成され、前記ねじ部によって前記ベース部材と前記カバーとが結合される構成としてもよい。
このような構成によれば、ベース部材とカバー部材とをねじ作用によって結合することができる。
【００１１】
上記スタンド台において、前記カバー部材、および、前記ベース部材は、合成樹脂製としてもよい。
このような構成によれば、カバー部材、および、ベース部材を、合成樹脂の成形品とすることができ、生産性を向上できる。
【発明の効果】
【００１２】
本発明によれば、おもり部材を台座部の内部に配置することを可能としたスタンド台を提供することができる。
【図面の簡単な説明】
【００１３】
【図１】本発明を具体化したキッチンツールのスタンド台の斜視図。
【図２】本発明を具体化したスタンド台の分解斜視図。
【図３】本発明を具体化したスタンド台における台座部分の断面図。
【図４】本発明を具体化したまな板を支持するスタンド台の斜視図。
【図５】本発明を具体化したティッシュクロスを支持するスタンド台の斜視図。
【図６】本発明を具体化したコップを支持するスタンド台の斜視図。
【図７】本発明を具体化したキッチンペーパーを支持するスタンド台の斜視図。
【発明を実施するための形態】
【００１４】
以下、本発明を具体化したスタンド台について図面を参照して説明する。
図１に示すように、スタンド台は、支持対象物としての杓子などのキッチンツールを支持する支持体１１と、支持体１１を支持する台座部２１とを備えている。支持体１１は、ワイヤなどの線状部材を折り曲げて形成されており、ここでは、キッチンツールを支持する支持部１２が構成されている。具体的に、支持部１２は、内側にキッチンツールが挿通される環状体１２ａと、環状体１２ａの相対する位置に配置される支持脚部１２ｂとを備えている。それぞれの支持脚部１２ｂは、１本の線状部材をＣ字状に折曲し、先端部に位置する折曲部において、環状体１２ａと溶接などによって固定されている。また、台座部２１は、薄型円筒形状を有している。それぞれの支持体１１の基端部は、台座部２１の側面部において相対する位置から導出されている。
【００１５】
次に、支持体１１の台座部２１への支持構造について図２を参照して説明する。それぞれの支持体１１の基端部は、台座部２１の内部に配置され台座部２１に支持されている。具体的に、支持体１１は、台座部２１の内部に配置される環状部１３と、環状部１３の相対する位置から外側に導出される導出部１４とを備えている。導出部１４は、１本の線状部材をＣ字状に折曲して構成された支持脚部１２ｂの２つの先端部に構成されている。各導出部１４は、環状部１３の下端において、溶接によって固定されており、環状部１３に対して下側に突出して固定されている。ここでは、相対して配置される２つの支持脚部に、２つずつ導出部１４が備えられている。なお、環状部１３は、他のスタンド台の支持体の環状部と形状や大きさが同じであり、共通化されている。
【００１６】
台座部２１は、おもり部材２２と、カバー部材２３と、カバー部材２３の底面を閉塞するベース部材２４とを備えている。カバー部材２３とベース部材２４とは、合成樹脂材料の成形品である合成樹脂体である。おもり部材２２は、鉄や鉛などの金属材料であって、台座部２１に対して小さい薄型円柱形状を有している。おもり部材２２は、他の用途のスタンド台、例えばコップを支持するスタンド台、まな板を支持するスタンド台、杓子などを支持するスタンド台のおもり部材と共通化されている。
【００１７】
カバー部材２３は、円形の上面部２３ａと、上面部２３ａの外周部に備える円筒形状の外周壁２３ｂとを備えている。上面部２３ａと外周壁２３ｂの外表面は、スタンド台の例えば装飾面を構成する。また、上面部２３ａは、装飾面を構成すると共にキッチンツールを支持する支持面となる。なお、カバー部材２３の外表面は、装飾面でもよく、また、装飾が施されていない面であってもよい。そして、カバー部材２３は、外周壁２３ｂに囲まれた下端部において、円形の開口部２５が構成されている。外周壁２３ｂには、径方向における相対する位置に、開口部２５と連続した複数の切欠部２６が配置されている。各切欠部２６は、例えばＵ字形状を有しており、Ｕ字の開口端部分が開口部２５と連続するように外周壁２３ｂに構成されている。切欠部２６の数は、各導出部１４の数に対応し、ここでは、外周壁２３ｂにおける相対するそれぞれの部位に２つずつ配置されている。
【００１８】
カバー部材２３は、外周壁２３ｂの内側に、外周壁２３ｂと離間して内周壁２３ｃを備えている。すなわち、カバー部材２３の内側は、外周壁２３ｂと内周壁２３ｃとで二重構造を構成している。内周壁２３ｃは、ベース部材２４の環状壁２４ｃより若干大きい直径を有しており、内周壁２３ｃの内側には、ベース部材２４の環状壁２４ｃが嵌合され、さらにおもり部材２２が配置される配置部２７ａが構成されている。また、外周壁２３ｂと内周壁２３ｃとの間には、環状溝２８が構成されており、環状溝２８は、支持体１１の環状部１３が内周壁２３ｃの外周に嵌合されるようにして配置される。環状部１３が環状溝２８に配置されるときには、導出部１４が切欠部２６に係合される。そして、導出部１４は、環状溝２８から外周壁２３ｂの外側に導出される。さらに、内周壁２３ｃの内周面には、周回方向にねじ部を構成するねじ溝２９ａが配置されている。内周壁２３ｃは、上面部２３ａに対して外周壁２３ｂより高く形成されており、また、周回方向に途切れなく連続した壁で構成されている。
【００１９】
ベース部材２４は、カバー部材２３の開口部２５を閉塞する円形の底面部２４ａと、底面部２４ａの外周部に備える外周壁２４ｂとを備える。外周壁２４ｂの先端部は、カバー部材２３の外周壁２３ｂの先端部と突き合わされ、外周壁２４ｂの外表面は、外周壁２３ｂの外表面とともに例えば装飾面を構成する。外周壁２４ｂは、底面部２４ａからの周回方向の高さが同じ高さである。そして、外周壁２４ｂの先端部は、外周壁２３ｂの先端部と突き合わされたとき、切欠部２６に配置されている導出部１４を切欠部２６内に押し上げる。
【００２０】
ベース部材２４は、外周壁２４ｂの内側に、外周壁２４ｂと離間して環状壁２４ｃを備えている。すなわち、ベース部材２４の内側もまた、二重筒構造を有している。環状壁２４ｃは、おもり部材２２の外径より若干大きい内径を有しており、内側に、おもり部材２２が配置されるおもり配置部２７ｂを構成している。環状壁２４ｃは、カバー部材２３の内周壁２３ｃの内側に嵌合されるものであり、外周面には、ねじ溝２９ａと螺噛するねじ溝２９ｂが配置されている。
【００２１】
次に、以上のように構成されたスタンド台の組み立て方法について説明する。先ず、ベース部材２４のおもり配置部２７ｂにおもり部材２２を配置する。この際、両面テープなどの仮止め手段によって、おもり部材２２は、おもり配置部２７ｂに仮固定される。次いで、カバー部材２３の環状溝２８には、支持体１１の環状部１３が配置される。この際、導出部１４は、切欠部２６に配置される。この後、ベース部材２４を開口部２５ａ側が下向きとなるように配置し、ベース部材２４より下側において、カバー部材２３を開口部２５が上側を向くように配置する。この際、おもり部材２２は、おもり配置部２７ｂに仮固定されているので、おもり配置部２７ｂから落下することはない。そして、ベース部材２４の環状壁２４ｃをカバー部材２３の内周壁２３ｃに対して嵌合させるように位置合わせする。そして、カバー部材２３とベース部材２４とを互いに逆方向に回転することによって、または、片方だけを回転することによって、ねじ溝２９ａとねじ溝２９ｂとを螺噛させる。
なお、組立方法としては、カバー部材２３の内周壁２３ｃにおもり部材２２を配置すると共に、環状溝２８に環状部１３を配置し、その後、ベース部材２４の環状壁２４ｃと内周壁２３ｃとをねじ作用で結合するようにしてもよい。
【００２２】
次に、以上のように構成されたスタンド台は次のような作用を有する。
図３に示すように、ベース部材２４の外周壁２４ｂは、カバー部材２３の外周壁２３ｂに突き合わされ、外周壁２４ｂの先端部は、切欠部２６に配置されている導出部１４を切欠部２６内に押し上げる。これにより、導出部１４と切欠部２６の隙間が小さくなり、支持体１１は、台座部２１に対するがたつきが抑制される。さらに、支持体１１のがたつきは、環状溝２８のリブ２８ａと環状部１３が当接することで抑制される。なお、ベース部材２４に環状溝２８に対向した位置にリブを配置して、このリブだけで、または、リブ２８ａと協働して支持体１１のがたつきを抑えるようにしてもよい。
【００２３】
使用時において、スタンド台には、支持体１１の環状体１２ａの内側にキッチンツールを立て掛けることができる。おもり部材２２が配置されるおもり配置部２７ｂは、カバー部材２３の内周壁２３ｃの内側に構成された配置部２７ａ内に位置し、内周壁２３ｃと環状壁２４ｃとの二重構造とされる。さらに、カバー部材２３の内周壁２３ｃの先端部は、ベース部材２４の底面部２４ａに突き当てられる。これにより、おもり配置部２７ｂは、液体が進入しにくい空間とされ、この空間内におもり部材２２が配置される。なお、内周壁２３ｃの先端部は、内周壁２３ｃを低く形成して、ベース部材２４の底面部２４ａに突き当たらなくてもよい。
【００２４】
以上のようなスタンド台によれば、以下に列記するような効果を得ることができる。
（１）カバー部材２３とベース部材２４とが結合されることで、おもり部材２２が台座部２１に収納され、台座部２１から落下することが抑制される。
（２）おもり部材２２とベース部材２４とを他のスタンド台との共通部品とすることができる。すなわち、他の用途のスタンド台を構成するときには、用途に応じた支持体１１と切欠部２６の位置や数、上面部２３ａの形状などが異なるカバー部材２３とを交換すればよい。
（３）カバー部材２３は、用途に応じて、切欠部２６の数、上面部２３ａの大きさや形状などが異なることになるが、色合い、質感などを統一することで、他の種類のスタンド台の間でデザインを統一することができる。
（４）切欠部２６に配置されている導出部１４を切欠部２６に押し上げるので、切欠部２６と導出部１４の隙間が小さくなり、支持体１１が台座部２１に対してがたつくことなく支持される。
（５）スタンド台は、台座部２１におもり部材２２を内蔵し、重心を低くしているので、キッチンツールを安定して支持することができる。また、導出部１４が環状部１３の下端から突出するので、重心が低くなり、より安定させることができる。
【００２５】
（６）おもり配置部２７ｂは、互いにねじ作用によって締め付けられる内周壁２３ｃと環状壁２４ｃとの二重構造によって液体が進入しにくい空間とされるので、おもり配置部２７ｂに、例えば切欠部２６から導出部１４を伝った水滴等の水分が進入することが抑制され、おもり部材２２に錆が発生することが抑制される。特に、内周壁２３ｃの先端部がベース部材２４の底面部２４ａに突き当てられるので、密閉性がさらに向上される。また、おもり部材２２は、液体が進入しにくい空間に配置されることで、材料に安価な鉄を用いることができる。
（７）カバー部材２３とベース部材２４は、合成樹脂の成形品なので量産性に優れる。したがって、生産コストを低減することができる。
（８）カバー部材２３とベース部材２４とは、ねじ作用で結合されるだけであり、その構成が簡単である。したがって、使用者は、スタンド台を分解して容易に内部を掃除することができる。
（９）切欠部２６は、開口部２５と連続して設けられることで、カバー部材２３の金型を簡素な形状とすることができ、金型代を安価にできる。すなわち、切欠部２６は、カバー部材２３の開口部２５に形成されるので、金型にスライド機構を設ける必要がなく、凸部の雄金型と凹部の雌金型を組み合わせた簡単な金型構成とすることができる。
【００２６】
なお、以上のようなキッチンツール用のスタンド台は、おもり部材２２とベース部材２４とを他の種類のスタンド台に用いることができる。他の種類のスタンド台は、キッチンツール用のスタンド台と比較して、支持体１１とカバー部材２３が異なる構成となる。
【００２７】
〔他のスタンド台〕
・図４は、まな板などのまな板のスタンド台である。この場合、支持体１１は、１本の線状部材によって３組有する。したがって、切欠部２６は、カバー部材２３の外周壁２３ｂの相対する位置に３つずつ設けられ、それぞれの切欠部２６に導出部１４が配置される。
【００２８】
・図５は、布巾などのティッシュクロスが掛けられるスタンド台である。このスタンド台の支持体１１は、それぞれが図４の支持体と形状が異なるものの、３組配置される点では共通である。したがって、図５のスタンド台においても、切欠部２６は、カバー部材２３の外周壁２３ｂの相対する位置に３つずつ設けられる。したがって、上面部２３ａを構成する部品を交換するだけで、おもり部材２２とベース部材２４だけでなく、カバー部材２３も、図４に示すスタンド台と図５に示すスタンド台で共通化することもできる。
【００２９】
・図６は、グラスなどのコップを支持するスタンド台である。このスタンド台では、４つのコップを支持できるように、支持体１１が４組設けられている。それぞれの支持体は、線状部材をＣ字状に折曲し、２つの先端部を導出部１４としている。これに対応して、カバー部材２３の外周壁２３ｂには、周回方向に等間隔に４カ所に切欠部２６が配置される。このようなスタンド台にあっても、おもり部材２２とベース部材２４とを他の種類のスタンド台と共通化することができる。
【００３０】
・図７は、キッチンペーパーロールを支持するスタンド台である。このスタンド台では、カバー部材２３の上面部２３ａの中央部には、キッチンペーパーロールの円筒芯に挿入される軸体１２ｃが配置されている。軸体１２ｃも、線状部材を２つ折りのように折曲し、２つの先端部を上面部２３ａに固定されている。なお、軸体１２ｃは、上面部２３ａに固定され、環状部１３と接続される部材ではない。環状部１３の導出部１４には、上面部２３ａ上に軸体１２ｃに回転可能に軸支されたキッチンペーパーロールから引き出されたキッチンペーパーを切断する支持対象物としてのカッター１２ｄを支持する支持体を有し、支持体に支持されたカッター１２ｄが軸体１２ｃと平行に取り付けられる。カバー部材２３には、導出部１４を構成する線状部材の本数に応じて切欠部２６が形成される。このようなスタンド台にあっても、おもり部材２２とベース部材２４とを他の種類のスタンド台と共通化することができる。
【００３１】
・図４〜図７に示したように、スタンド台は、種類に応じて、導出部１４の本数が異なり、これら条件に応じて、切欠部２６の数も異なる。切欠部２６の数は、シリーズを構成するスタンド台において、導出部１４の最大の本数分設けるようにする。このような構成にすれば、カバー部材２３も多くの種類で共通化することができる。例えば、図１に示すスタンド台は、導出部１４が１カ所につき２本であり、切欠部２６も１カ所につき２つ設けられている。また、図４や図５に示すスタンド台は、導出部１４が１カ所につき３本であり、切欠部２６も１カ所につき３つ設けられている。したがって、切欠部２６も１カ所につき３つ設けられているカバー部材２３は、導出部１４が１カ所につき２本である図１に示すスタンド台のカバー部材２３にも用いることができる。
【００３２】
〔導出部と環状部の構成〕
・支持体１１は、金属製の他、樹脂製や木製であってもよい。
・導出部１４は、環状部１３の下端ではなく、外側の側面に溶接などによって固定してもよい。
・導出部１４と環状部１３との固定方法は、溶接に限定されるものではなく、接着剤や両面テープなどで固定してもよい。
・環状部１３は、支持部１２の部分で支持脚部１２ｂが連結されているのであれば、環状が途中で途切れた断続的な構成を有したものであってもよい。この場合、環状部１３を構成する支持脚部１２ｂに連結された各要素は、環状溝２８に配置可能な円弧状形状を有する片によって構成される。
・環状部１３は、円形以外の四角形状等の多角形でもよい。多角形の場合、環状溝２８も、環状部１３に合わせた形状となる。
【００３３】
〔カバー部材とベース部材の構成〕
・カバー部材２３とベース部材２４の材料は、木製、金属製であってもよい。
・カバー部材２３の内周壁２３ｃがベース部材２４の環状壁２４ｃの内側に位置してもよい。この場合、内周壁２３ｃの外周面と環状壁２４ｃの内周面にねじ溝が形成される。
・カバー部材２３とベース部材２４とは、ねじ作用以外で結合されていてもよい。例えば、カバー部材２３とベース部材２４の何れか一方の部材に設けられた係合片を、他方の部材に設けられた係止部に係合させることによって、カバー部材２３とベース部材２４とを結合する構造としてもよい。また、ねじやリベットなどの固定部材を用いて、カバー部材２３とベース部材２４とを結合してもよい。また、カバー部材２３およびベース部材２４の何れか一方の部材に係合孔を設け、他方の部材に係合孔と係合する突起を設ける。そして、突起と係合孔とを係合させて、カバー部材２３およびベース部材２４とを結合するスナップ式としてもよい。
・カバー部材２３とベース部材２４とは、ねじ作用以外で結合するときには、内周壁２３ｃの形状や環状壁２４ｃの形状は、円形以外の四角形状等の多角形でもよい。また、外周壁２４ｂの形状も多角形であってもよい。おもり部材２２の形状も多角形であってもよい。
・導出部１４は、ベース部材２４の外周壁２４ｂの先端部によって切欠部２６の縁部に押し付ける構成としてもよい。これにより、支持体１１が台座部２１に対してがたつくことが抑えられる。また、環状部１３が環状溝２８内において、接着剤、両面テープなどの固定手段によって固定されていてもよい。
・ベース部材２４の外周壁２４ｂは割愛してもよい。この場合、カバー部材２３の外周壁２３ｂの先端部がベース部材２４の外周部に突き当てられる。
・内周壁２３ｃや環状壁２４ｃは、周回方向に非連続な構成、すなわち、壁の高さ方向にスリットや間隙部などが１つまたは複数個設けられたものであってもよい。この場合のスリットや間隙部の幅は、それぞれの壁がねじ部の機能を実現できる強度を有するのであれば、特に限定されるものではない。
【００３４】
・おもり部材２２が配置される配置部と、配置部を内側に構成する内周壁と内周壁の外側に位置する外周壁との間に構成され支持体１１の環状部１３が配置される環状溝と、外周壁に備えられ、環状溝に環状部１３が配置された状態において導出部１４が配置される切欠部とは、カバー部材２３だけに設けてもよい。また、ベース部材２４だけに設けてもよいし、カバー部材２３とベース部材２４の両方に設けるようにしてもよい。配置部と環状溝と切欠部とをカバー部材２３とベース部材２４の両方に設ける場合には、それぞれの部材の内周壁の先端部と外周壁の先端部とが突き当てられる。なお、内周壁の先端部と外周壁の先端部以外の他の部分が突き当たっていてもよい。
・ねじ溝２９ａが形成された内周壁２３ｃの高さやねじ溝２９ｂが形成された環状壁２４ｃの高さは、ねじ溝２９ａとねじ溝２９ｂとが噛み合うのであれば、特に限定されるものではない。例えば、環状壁２４ｃの高さは、締め付けられたときに、カバー部材２３の上面部２３ａに突き当たる高さではなく、それより低くてもよく、例えば、台座部２１の高さの半分程度であってもよい。
・おもり部材２２をおもり配置部２７ｂより直径の小さなものを使うときには、環状壁２４ｃの内側に、さらにおもり部材２２が遊動しないようにするさらなる内周壁を配置してもよい。
【００３５】
〔その他の変形例〕
・支持体１１は、環状部１３と導出部１４とが線状部材であれば、支持部１２は、線状部材以外の部材、例えば板材によって構成されていてもよい。また、線状部材としては、ワイヤ部材の他に、長尺な細板であってもよい。また、環状体１２ａは、円形以外の四角形状等の多角形でもよい。
・キッチン用品を支持するスタンド台に限定されるものではない。その他、様々な支持対象物を支持するスタンド台に適用することができる。
【符号の説明】
【００３６】
１１…支持体、１２…支持部、１２ａ…環状体、１２ｂ…支持脚部、１２ｃ…軸体、１３…環状部、１４…導出部、２１…台座部、２２…おもり部材、２３…カバー部材、２３ａ…上面部、２３ｂ…外周壁、２３ｃ…内周壁、２４…ベース部材、２４ａ…底面部、２４ｂ…外周壁、２４ｃ…環状壁、２５…開口部、２５ａ…開口部、２６…切欠部、２７ａ…配置部、２７ｂ…おもり配置部、２８…環状溝、２８ａ…リブ、２９ａ，２９ｂ…ねじ溝。
【図１】
2017086290.tif 000003
【図２】
2017086290.tif 000004
【図３】
2017086290.tif 000005
【図４】
2017086290.tif 000006
【図５】
2017086290.tif 000007
【図６】
2017086290.tif 000008
【図７】
2017086290.tif 000009